(57)【特許請求の範囲】
【請求項１】
原型は長方形で防水性シートの伸縮機構を有する一辺を輪状に結合して髪の生え際にあたる肌あて部を構成するシート本体とシート本体の輪状に結合した部分の合わせ目に設けられた前着脱部材とシート本体の前記前着脱部材と対向する辺の左右中央部付近に設けられた後着脱部材とよりなり、輪状の肌あて部は頭からかぶって首に通して肩にかけてケープとして使用し、染毛剤塗布後に輪状の肌あて部分を額まで持ち上げると前着脱部が額に位置し、この前着脱部に後着脱部を上から折り重ねて接着することでシート本体が額部分で固定され、額部分で固定されることにより折りたたまれたシート本体の左右に三角形のしばり部が形成されるのでこの左右のしばり部を後頭部で結ぶことにより、たわみのない頭部にフィットしたヘアーキャップが構成され、ヘアーキャップは頭の大小や頭髪の多少に左右されることもなく、頭部全体を包み込み保温性を高め染毛剤の浸透性を向上させることを特徴とするヘアーキャップ兼用ケープ。
【請求項２】
肌あて部に吸水シートを設けたことを特徴とする請求項１記載のヘアーキャップ兼用ケープ。
【発明の詳細な説明】
【技術分野】
【０００１】  本発明は、染毛の際に美容用品として使用するヘアーキャップ兼用ケープに関するものである。
【背景技術】
【０００２】  従来、染毛用ケープとヘアーキャップを兼用するものとして一枚シートの央部に取り付け用開口部を設けたものがあった。
又、ヘアーキャップを形成させるのに周縁にしばり紐をもうけ、しぼめることでヘアーキャップにするものがあった。
折りたたむものとして、シート中央に開口部をもうけたシートに折りたたみ固定するために一側部と後部に接着部をもうけたものがあった。
【特許文献１】  特許公開２００３−９３１３６号
【特許文献２】  特許公開２００２−３２０５１６号
【特許文献３】  登録実用新案第３０３３８１１号
【発明の開示】
【発明が解決しようとする課題】
【０００３】  従来は染毛剤が皮膚、衣服、壁、柱、家具等に付着すると落ちにくいので予め染毛剤を付着させない方法を講じておく必要があり、皮膚や衣服に付着させないためにケープを使用し、染毛剤塗布が終わった後、染毛剤が浸透するまでの間は髪に付いた染毛剤が壁、柱家具、その他の物に付着するのを防止するためにヘアーキャップを使用していたが、ケープとヘアーキャップを個別に使用すると手間がかかり、ケープとヘアーキャップを個別に購入すると不経済であった。
切れ目のない円形成形するとキャップにした時余分な空間ができるためにたわみが生じるし余分な空間ができる分材料のむだが生じる。
又、切り込みがあってもしぼり込む方法だとたわみが生じ見た目が悪い。
折りたたみ方法は切り込みがないため余分な折り込み作業が必要となり途中までは片手で押さえておく必要があり作業性が悪い。
【課題を解決するための手段】
【０００４】  原型は長方形で防水性シートの伸縮機構を有する一辺を輪状に結合して髪の生え際にあたる肌あて部を構成するシート本体とシート本体の輪状に結合した部分の合わせ目に設けられた前着脱部材とシート本体の前記前着脱部材と対向する辺の左右中央部付近に設けられた後着脱部材とよりなり、輪状の肌あて部は頭からかぶって首に通して肩にかけてケープとして使用し、染毛剤塗布後に輪状の肌あて部分を額まで持ち上げると前着脱部が額に位置し、この前着脱部に後着脱部を上から折り重ねて接着することでシート本体が額部分で固定され、額部分で固定されることにより折りたたまれたシート本体の左右に三角形のしばり部が形成されるのでこの左右のしばり部を後頭部で結ぶことにより、たわみのない頭部にフィットしたヘアーキャップが構成され、ヘアーキャップは頭の大小や頭髪の多少に左右されることもなく、頭部全体を包み込み保温性を高め染毛剤の浸透性を向上させるものである。
【発明の効果】
【０００５】  この発明のヘアーキャップ兼用ケープを使用するとケープとして使用後、その裏面をそのままヘアーキャップに流用することができるため、ケープとヘアーキャップを一枚で使用でき、個別に購入する必要がなく経済的である。
ヘアーキャップとして使用できることにより頭髪の保温性が高まり、染毛剤の浸透性が向上するとともに染毛剤が他の物に付着する危険を防止することができる。
切り込みが構成されることにより折り込み時のたわみを解消し髪に密着するように使用することができる。
前着脱部と後着脱部とを接着することにより本体が手でおさえることなく固定される。
この際切り込みと折りたたみにより、しばり部を構成しそれをしばる事ですき間のないすっきりした取り付けを少ない動作で実現できることを可能にした。
加えて、頭を包み込みしばることで頭にぴったりとフィットし見た目も美しい。
頭の大きさや頭髪の量は一人一人違うものであるが、このヘアーキャップ兼用ケープは大多数の人の頭の大きさに対応できる位置に着脱部分を設けてあり、しばり込み部分でしばりヘアーキャップとする構造になっているためしばり方次第で、使用する人の頭の大きさや頭髪の量に応じたヘアーキャップの構成が可能である。
カラフルな模様の付いた物を使用するとファッション性にも富んでいる。
カラフルな物で製造するとファッショナブルであるため染毛中でも他人に染毛中と気付かれることなく、接触可能であり不意の来客にもヘアーキャップ装着のまま応対できる。
染毛以外にも、洗顔で襟や胸元を濡らしたくないときや、入浴中に髪を濡らしたくないときにも利用できる。
ビニールで製造すると安価で量産に適し、旅行の時等は、普通のケープとして使用したり、入浴時のヘアーキャップとして使用でき、かつ使い捨てが可能である。
【発明を実施するための最良の形態】
【０００６】  以下本発明の実施の形態について図面を参照して説明する。
ケープ本体（１）は長方形状の防水性シート（６）を横にして上辺を折り返して輪状に接着あるいは縫着してゴム紐通し部（７）を形成し、ゴム紐通し部（７）にゴム紐（３）を通し、通したゴム紐（３）の両端を結び、ゴム紐通し部（７）の開口部付近を合わせ縫着することで伸縮する輪状の肌あて部（２）を形成する。
この際肌あて部は、伸ばして頭から首におろして首にほぼ密着するとともにケープ本体の端部を持って引き上げることで、襟足から額の生え際まで髪の生え際にそって密着させられるものである。
伸縮する輪状の上辺の合わせ目裏面に前着脱部（４）を設ける。
図において、この前着脱部は左右に分割した状態でとりつけられ、あわせることで前着脱部（４）を構成するようになっている。
但し、前着脱部（４）としてはこれに限定されるものではなく、輪状の肌あて部を形成させた後に、一片の前着脱部を取り付けるものであってもよい。
図３、図４に示すようにシート本体裏面の前着脱部（４）と対向する辺の左右中央部付近表面に後着脱部（５）を設ける。
前着脱部（４）、後着脱部（５）は従来着脱に利用する各種材料でよいが、微妙な左右上下の位置調整可能な面ファスナーが好ましい。
本発明の構成は以上よりなる。
以下本発明の使用方法について説明する。
図５に示すように、伸縮する輪状の上辺である肌あて部（２）を頭から首に通して広げて肩、胸背中を覆いケープ本体（１）を肩に掛ける。
この状態で染毛を行えば、両手を自由に使うことができるとともに染毛剤が衣服に付着することを防止できる。
図６に示すように、ケープ本体（１）の肌あて部前中央部付近を両手で持ち、額の生え際まで押し上げることでケープ本体（１）の肌あて部（２）を襟足から額の生え際まで髪の生え際にそって密着させる。
図７、図８に示すように、ケープ本体（１）前部左右を額の生え際まで押し上げて、前着脱部（４）が表に出るように裏返して額に固定した後、ケープ本体（１）の後下部付近を持って髪をすくいあげるように折り返して後着脱部（５）と前着脱部（４）とを合わせて接着する。
この折り返しの際、ケープ本体（１）の前が開いているため操作にあわせてケープが開き従来の閉じた状態で生じる折り返し部のたわみやつっぱり感を解消し、たわみによる余分な空間や広がりを生じさせることなく密着した状態で折り返すことができる。
又、着脱部で固定させるため手でおさえつける必要がない。
図９に示すように、ケープ本体（１）に設けた前着脱部（４）と後着脱部（５）とを接着することで左右にしばり部（８）が構成される。
図１０、図１１、図１２に示すように、左右のしばり部（８）で髪全体をおさえるように頭を包み込み、頭の後ろで結びヘアーキャップ（９）を構成する。
【図面の簡単な説明】
【０００７】
【図１】  本発明の斜視図
【図２】  肌あて部拡大断面図
【図３】  本発明図１の展開図
【図４】  本発明の逆扇形展開図
【図５】  本発明の使用状態を示した正面図
【図６】  本発明の使用状態を示した斜視図
【図７】  本発明の使用状態を示した斜視図
【図８】  本発明の使用状態を示した斜視図
【図９】  本発明の使用状態を示した斜視図
【図１０】  本発明の使用状態を示した斜視図
【図１１】  本発明の使用状態を示した斜視図
【図１２】  本発明の使用状態を示した斜視図
【符号の説明】
【０００８】      １    ケープ本体
２    肌あて部
３    ゴム紐
４    前着脱部
５    後着脱部
６    防水性シート
７    ゴム紐通し部
８    しばり部
９    ヘアーキャップ
【図１】
0003708943.tif 000002
【図２】
0003708943.tif 000003
【図３】
0003708943.tif 000004
【図４】
0003708943.tif 000005
【図５】
0003708943.tif 000006
【図６】
0003708943.tif 000007
【図７】
0003708943.tif 000008
【図８】
0003708943.tif 000009
【図９】
0003708943.tif 000010
【図１０】
0003708943.tif 000011
【図１１】
0003708943.tif 000012
【図１２】
0003708943.tif 000013